(57)【特許請求の範囲】
【請求項１】
媒体が挿入される媒体挿入口と、
前記媒体を搬送する第１の搬送路が形成された第１の搬送ガイドと、
前記媒体を搬送する第２の搬送路が形成された第２の搬送ガイドと、
前記媒体を収納する収納部と、を備え、
前記媒体は、前記第１の搬送路から前記第２の搬送路に搬送され、
前記第１の搬送ガイドが有する複数のリブは、前記第１の搬送ガイドのうち前記第２の搬送ガイドに対向する面に設けられており、
前記複数のリブのうち少なくとも一部のリブには、前記第１の搬送路の材質よりも硬い材質の一側面が形成されている、
自動取引装置。
【請求項２】
前記自動取引装置は、
前記第１の搬送ガイドが有する前記複数のリブと前記第２の搬送ガイドが有する複数のリブとは入れ子構造を形成する、
請求項１に記載の自動取引装置。
【請求項３】
前記第２の搬送ガイドが有する前記複数のリブは、前記第２の搬送ガイドのうち前記第２の搬送路とは異なる面に設けられる、
請求項２に記載の自動取引装置。
【請求項４】
前記第１の搬送ガイドが有する複数のリブがリブ列を形成する場合、前記一側面は、前記少なくとも一部のリブが有する複数の面のうち、前記リブ列の中央側の面である、
請求項１に記載の自動取引装置。
【請求項５】
前記一側面は、前記第１の搬送ガイドと一体成形される板金、前記第１の搬送ガイドと二色成形される所定の材料、または、前記第１の搬送ガイドの成形後に前記第１の搬送ガイドに固定される板金のいずれかによって形成される、
請求項１に記載の自動取引装置。
【請求項６】
前記少なくとも一部のリブは、前記板金または前記所定の材料によって形成される部位との間に段差を有する、
請求項５に記載の自動取引装置。
【請求項７】
前記自動取引装置は、
前記媒体が正常であるか否かを識別する識別部と、
前記媒体が正常であると識別された場合に、前記媒体を一時的に保留する一時保留部と、を備え、
前記自動取引装置の上部ユニットは、前記媒体挿入口、前記識別部および前記一時保留部を有し、
前記自動取引装置の下部ユニットは、前記収納部を有し、
前記第１の搬送路および前記第２の搬送路は、前記上部ユニットと前記下部ユニットとの間で受け渡される前記媒体を搬送する、
請求項２に記載の自動取引装置。
【請求項８】
前記第１の搬送ガイドが有する前記複数のリブのうち、所定の空間に属する複数のリブは、前記第１の搬送路の材質よりも硬い材質によって形成された一側面を有する、
請求項１に記載の自動取引装置。
【請求項９】
前記所定の空間は、所定の種類の媒体が前記第１の搬送路における幅方向の一端に寄った状態から、前記一端とは異なる他端に寄った状態となるまでに、前記所定の種類の媒体が有する複数の端部のうち搬送方向に対して平行な端部を含み、かつ、前記第１の搬送路に垂直な平面が移動する空間である、
請求項８に記載の自動取引装置。
【請求項１０】
前記所定の種類の媒体は、前記自動取引装置によって取り扱われる複数種類の媒体の中で前記第１の搬送路の幅方向の長さが最小となる媒体である、
請求項９に記載の自動取引装置。
【発明の詳細な説明】
【技術分野】
【０００１】
本発明は、自動取引装置に関する。
【背景技術】
【０００２】
従来、操作者による操作に従って自動的に取引を行う自動取引装置が知られている。操作者によって自動取引装置に挿入された媒体は、自動取引装置の内部において搬送される。このとき、自動取引装置の内部において媒体の詰まりが生じてしまうことがある。そこで、かかる詰まりを起こした媒体を容易に除去することを可能とする技術が開示されている（特許文献１参照。）。
【先行技術文献】
【特許文献】
【０００３】
【特許文献１】特開２０１２−０９４１１４号公報
【発明の概要】
【発明が解決しようとする課題】
【０００４】
このようにして媒体の詰まりが生じてしまう原因として、自動取引装置の搬送ガイドが有するリブに媒体の端部が接触するうちにリブに傷が付いてしまい、その傷に媒体が引っ掛かってしまうことが挙げられる。そこで、自動取引装置の内部において媒体の詰まりが生じる可能性を低減する技術の提供が望まれる。
【課題を解決するための手段】
【０００５】
上記問題を解決するために、本発明のある観点によれば、媒体が挿入される媒体挿入口と、前記媒体を搬送する第１の搬送路が形成された第１の搬送ガイドと、前記媒体を搬送する第２の搬送路が形成された第２の搬送ガイドと、前記媒体を収納する収納部と、を備え、前記媒体は、前記第１の搬送路から前記第２の搬送路に搬送され、前記第１の搬送ガイドが有する複数のリブは、前記第１の搬送ガイドのうち前記第２の搬送ガイドに対向する面に設けられており、前記複数のリブのうち少なくとも一部のリブには、前記第１の搬送路の材質よりも硬い材質の一側面が形成されている、自動取引装置が提供される。
【０００６】
前記自動取引装置は、前記第１の搬送ガイドが有する前記複数のリブと前記第２の搬送ガイドが有する複数のリブとは入れ子構造を形成してよい。
【０００８】
前記第１の搬送ガイドが有する複数のリブがリブ列を形成する場合、前記一側面は、前記少なくとも一部のリブが有する複数の面のうち、前記リブ列の中央側の面であってよい。
【０００９】
前記一側面は、前記第１の搬送ガイドと一体成形される板金、前記第１の搬送ガイドと二色成形される所定の材料、または、前記第１の搬送ガイドの成形後に前記第１の搬送ガイドに固定される板金のいずれかによって形成されてよい。
【００１０】
前記少なくとも一部のリブは、前記板金または前記所定の材料によって形成される部位との間に段差を有してよい。
【００１１】
前記自動取引装置は、前記媒体が正常であるか否かを識別する識別部と、前記媒体が正常であると識別された場合に、前記媒体を一時的に保留する一時保留部と、を備え、前記自動取引装置の上部ユニットは、前記媒体挿入口、前記識別部および前記一時保留部を有し、前記自動取引装置の下部ユニットは、前記収納部を有し、前記第１の搬送路および前記第２の搬送路は、前記上部ユニットと前記下部ユニットとの間で受け渡される前記媒体を搬送してよい。
【００１２】
前記第１の搬送ガイドが有する前記複数のリブのうち、所定の空間に属する複数のリブは、前記第１の搬送路の材質よりも硬い材質によって形成された一側面を有してよい。
【００１３】
前記所定の空間は、所定の種類の媒体が前記第１の搬送路における幅方向の一端に寄った状態から、前記一端とは異なる他端に寄った状態となるまでに、前記所定の種類の媒体が有する複数の端部のうち搬送方向に対して平行な端部を含み、かつ、前記第１の搬送路に垂直な平面が移動する空間であってよい。
【００１４】
前記所定の種類の媒体は、前記自動取引装置によって取り扱われる複数種類の媒体の中で前記第１の搬送路の幅方向の長さが最小となる媒体であってよい。
【発明の効果】
【００１５】
以上説明したように本発明によれば、自動取引装置の内部において媒体の詰まりが生じる可能性を低減することが可能となる。
【図面の簡単な説明】
【００１６】
【図１】本発明の実施形態に係る自動取引装置の内部構成例を示す図である。
【図２】正常な媒体が接客部において分離されてから一時保留部に搬送されるまでの搬送ルートを示す図である。
【図３】正常な媒体が一時保留部から収納部に搬送されるまでの搬送ルートを示す図である。
【図４】一般的な搬送部の周辺を拡大して示した左側面図である。
【図５】一般的な搬送部の周辺を拡大して示した正面図である。
【図６】本発明の実施形態に係る搬送部の周辺を拡大して示した左側面図である。
【図７】本発明の実施形態に係る搬送部の周辺を拡大して示した正面図である。
【図８】第１の搬送ガイドが有するリブの拡大斜視図である。
【図９】図８に示した拡大斜視図のＡ−Ａ断面図である。
【発明を実施するための形態】
【００１７】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１８】
また、本明細書および図面において、実質的に同一の機能構成を有する複数の構成要素を、同一の符号の後に異なる数字を付して区別する。また、異なる実施形態の類似する構成要素については、同一の符号の後に異なるアルファベットを付して区別する。ただし、実質的に同一の機能構成を有する複数の構成要素等の各々を特に区別する必要がない場合、同一符号のみを付する。
【００１９】
（１．自動取引装置の概要）
まず、本発明の実施形態に係る自動取引装置の概要について説明する。なお、以下の説明においては、自動取引装置を操作者が操作する場合に、自動取引装置を基準として操作者が存在する方向を「前」とし、自動取引装置を基準として操作者が存在する方向とは反対方向を「後」とする。また、自動取引装置の操作者から見て右方向および左方向をそれぞれ「右」および「左」とし、自動取引装置の操作者から見て上方向および下方向をそれぞれ「上」および「下」とする。
【００２０】
また、自動取引装置の典型的な例としては、ＡＴＭ（Ａｕｔｏｍａｔｅｄ  ｔｅｌｌｅｒ  ｍａｃｈｉｎｅ）が挙げられるが、本発明の実施形態に係る自動取引装置は、かかる例に限定されない。本発明の実施形態に係る自動取引装置は、複数のリブを有する搬送ガイドを備える装置であればよい。また、自動取引装置が設置される場所も限定されず、コンビニエンスストアであってもよいし、銀行の店舗であってもよい。
【００２１】
図１は、本発明の実施形態に係る自動取引装置１の内部構成例を示す図である。図１に示すように、自動取引装置１は、上部ユニット１０と下部ユニット２０とを備える。図１には、上部ユニット１０と下部ユニット２０との境界３０が示されている。図１に示すように、上部ユニット１０は、媒体挿入口１１ａと、接客部１１と、識別部１２と、一時保留部１３と、リジェクト庫１４とを有する。
【００２２】
また、図１に示すように、下部ユニット２０は、複数の収納部２１（収納部２１−１〜２１−４）を有する。図１に示した例では、収納部２１の個数は４つであるが、収納部２１の個数は特に限定されない。また、本明細書においては、複数の収納部２１それぞれに、収納可能な媒体の種類（例えば、金種など）が定められている例を説明する。搬送部１５−１および搬送部１５−２は、上部ユニット１０と下部ユニット２０との間で受け渡される媒体を搬送する。
【００２３】
まず、媒体挿入時における自動取引装置１の動作について説明する。媒体挿入時において、媒体挿入口１１ａには、操作者から１または複数の媒体が挿入される。本明細書においては、媒体が紙幣である場合を主に想定するが、媒体の種類は特に限定されない。例えば、媒体は、硬貨であってもよいし、通帳であってもよいし、カードであってもよいし、他の媒体であってもよい。硬貨、通帳、カード、他の媒体などは、それぞれに対応する口から挿入され、自動取引装置１の内部において搬送される。媒体挿入口１１ａから挿入された１または複数の媒体は、接客部１１によって集積され、１枚ずつ分離されて識別部１２に搬送される。
【００２４】
続いて、識別部１２は、媒体が正常であるか否かを識別する。識別部１２によって異常であると識別された媒体は、接客部１１に搬送され、図示しないシャッタが開かれると、媒体挿入口１１ａから操作者によって取り出される。一方、識別部１２によって正常であると識別された媒体は、一時保留部１３に搬送される。図２は、正常な媒体が接客部１１において分離されてから一時保留部１３に搬送されるまでの搬送ルートを示す図である。一時保留部１３に順次に搬送された１または複数の媒体は、一時保留部１３によって一時的に保留される。
【００２５】
一時保留部１３によって保留された１または複数の媒体は、操作者によって取引がキャンセルされると、１枚ずつ分離されて接客部１１に搬送される。媒体挿入口１１ａを開閉する図示しないシャッタが開かれると、１または複数の媒体は、媒体挿入口１１ａから操作者によって取り出される。一方、一時保留部１３によって保留された１または複数の媒体は、操作者によって取引が確定されると、１枚ずつ分離されて識別部１２に搬送される。
【００２６】
続いて、識別部１２によって媒体が異常であると識別されると、媒体はリジェクト庫１４に搬送される。リジェクト庫１４に搬送された媒体は、リジェクト庫１４に集積される。一方、識別部１２によって媒体が正常であると識別されると、媒体は一時保留部１３を介して識別部１２によって識別された種類に対応する収納部２１に搬送される。以下では、媒体が収納部２１−３に搬送される場合を主に想定する。図３は、正常な媒体が一時保留部１３から収納部２１−３に搬送されるまでの搬送ルートを示す図である。収納部２１−３に搬送された媒体は、収納部２１−３に収納される。
【００２７】
ここで、図３を参照すると、識別部１２から収納部２１−３に媒体が搬送される途中で、媒体の端部が搬送部１５−１の内部における搬送ガイドに接触してしまっている。媒体と搬送ガイドとの接触についてさらに詳細に説明する。
【００２８】
図４は、本発明の実施形態に係る搬送部１５−１に対応する一般的な搬送部９５−１の周辺を拡大して示した左側面図である。また、図５は、一般的な搬送部９５−１の周辺を拡大して示した正面図である。図４および図５に示すように、四つの搬送ローラ対４１は、媒体を挟圧把持しつつ回転することによって、搬送方向に（媒体挿入時においては矢印にて示したように上方から下方に）媒体を送り出す。搬送ローラ対４１の数は特に限定されない。図４に示した誘導部材４２、４３、４４は、媒体が搬送方向に沿って搬送されるように媒体を誘導する。
【００２９】
第１の搬送ガイド１６は、第１の搬送路１６ｂを有しており、第１の搬送ガイド１６の下方に設けられている第２の搬送ガイド１８は、第２の搬送路１８ｂを有している。第１の搬送路１６ｂおよび第２の搬送路１８ｂは、搬送方向に沿って媒体を搬送する。より具体的には、第１の搬送路１６ｂおよび第２の搬送路１８ｂは、図１〜図３に示した上部ユニット１０と下部ユニット２０との間で受け渡される媒体を搬送する。
【００３０】
また、図４および図５に示すように、第１の搬送ガイド１６は、複数のリブ１６ａおよび複数のリブ１７を備えている。複数のリブ１６ａは一列に設けられてリブ列（以下、「リブ列１６ａ」とも言う。）を形成している。リブ１６ａの個数は限定されない。同様に、複数のリブ１７も一列に設けられてリブ列（以下、「リブ列１７」とも言う。）を形成している。リブ１７の個数も限定されない。複数のリブ１７は、第１の搬送ガイド１６のうち第１の搬送路１６ｂとは異なる面（図４に示した例では、第１の搬送ガイド１６のうち第２の搬送ガイド１８に対向する面）に設けられている。
【００３１】
また、図５に示すように、第２の搬送ガイド１８は、複数のリブ１９および複数のリブ１８ａを備えている。複数のリブ１９は一列に設けられてリブ列（以下、「リブ列１９」とも言う。）を形成している。リブ１９の個数は限定されない。同様に、複数のリブ１８ａも一列に設けられてリブ列（以下、「リブ列１８ａ」とも言う。）を形成している。リブ１８ａの個数も限定されない。複数のリブ１９は、第２の搬送ガイド１８のうち第２の搬送路１８ｂとは異なる面（図５に示した例では、第２の搬送ガイド１８のうち第１の搬送ガイド１６に対向する面）に設けられている。
【００３２】
さらに、図５に示すように、第１の搬送ガイド１６が有する複数のリブ１７と第２の搬送ガイド１８が有する複数のリブ１９とは入れ子構造を形成している。ここで、第１の搬送ガイド１６に媒体が搬送されると、媒体の端部が複数のリブ１７の一部または全部に接触して傷を付けてしまう場合がある。特に、図４に示すように、搬送部１５−１が直線ではなく、曲線を描く場合には、遠心力によって媒体が曲線の外側に位置する複数のリブ１７の一部または全部に接触しやすい。
【００３３】
このようにして媒体の端部が複数のリブ１７の一部または全部に接触して傷を付けてしまい、後続する媒体がこの傷に引っ掛かってしまった場合などには、後続する媒体の詰まりが生じ得る。例えば、媒体の搬送速度が高いほど、この傷は大きくなる可能性が高まる。また、媒体の搬送回数が増加するにつれて、この傷は大きくなる可能性が高まる。そこで、本明細書においては、このような媒体の詰まりが生じる可能性を低減する技術を主に提案する。
【００３４】
具体的に、図５に示すように、媒体が矩形である場合に媒体の短辺が搬送方向に平行となるような向きで媒体が搬送される場合を想定する。しかし、媒体の長辺が搬送方向に平行となるような向きで媒体が搬送されてもよい。また、自動取引装置１によって取り扱われる複数種類の媒体の中で第１の搬送路１６ｂの幅方向（図５の左右方向）の長さが最小となる媒体が搬送される場合を想定する。第１の搬送路１６ｂの幅方向の長さが最小となる媒体が第１の搬送路１６ｂの幅方向に最も大きく移動し、最も多くのリブ１７に傷を付ける可能性があるからである。
【００３５】
例えば、位置Ｐ−１に示すように、媒体が第１の搬送路１６ｂにおける幅方向の一端（図５の例では、右端）に寄った状態で搬送される場合には、媒体の左の端部がリブ１７−２に接触してリブ１７−２に傷を付ける可能性がある。特に、リブ１７−２が有する複数の面のうち、リブ列１７（あるいは、第１の搬送路１６ｂ）の中央側の面（図５に示した例では、右側の面）に媒体の左の端部が接触して傷が付く可能性がある。
【００３６】
また、位置Ｐ−２に示すように、媒体が第１の搬送路１６ｂにおける幅方向の中央に位置した状態で搬送される場合には、媒体の左の端部がリブ１７−１に傷を付け、媒体の右の端部がリブ１７−４に傷を付ける可能性がある。特に、リブ１７−１が有する複数の面のうち、リブ列１７（あるいは、第１の搬送路１６ｂ）の中央側の面（図５に示した例では、右側の面）に媒体の左の端部が接触して傷が付き、リブ１７−４が有する複数の面のうち、リブ列１７（あるいは、第１の搬送路１６ｂ）の中央側の面（図５に示した例では、左側の面）に媒体の右の端部が接触して傷が付く可能性がある。
【００３７】
また、位置Ｐ−３に示すように、媒体が第１の搬送路１６ｂにおける幅方向の他端（図５の例では、左端）に寄った状態で搬送される場合には、媒体の右の端部がリブ１７−３に傷を付ける可能性がある。特に、リブ１７−３が有する複数の面のうち、リブ列１７（あるいは、第１の搬送路１６ｂ）の中央側の面（図５に示した例では、左側の面）に媒体の右の端部が接触して傷が付く可能性がある。以下では、このようにして、リブ１７に傷が付いてしまう可能性を低減するための技術を説明する。
【００３８】
図６は、本発明の実施形態に係る搬送部１５−１の周辺を拡大して示した左側面図である。また、図７は、本発明の実施形態に係る搬送部１５−１の周辺を拡大して示した正面図である。以下、本発明の実施形態に係る搬送部１５−１が有する構成のうち、既に説明した一般的な搬送部９５−１が有する構成と異なる構成について主に説明し、同様な構成についての説明を省略する。
【００３９】
本発明の実施形態においては、第１の搬送ガイド１６が有する複数のリブ１７のうち少なくとも一部のリブそれぞれに、第１の搬送ガイド１６の材質よりも硬い材質の一側面が形成される。かかる構成により、第１の搬送ガイド１６が有する複数のリブ１７のうち少なくとも一部のリブに媒体の端部が接触しても、かかる一部のリブに傷が付きにくくなるため、媒体の詰まりが生じる可能性が低減される。
【００４０】
第１の搬送ガイド１６の材質は特に限定されないが、ＰＣ（ＰｏｌｙＣａｒｂｏｎａｔｅ）などであってよい。ＰＣは透明度が高いため、第１の搬送ガイド１６にＰＣが用いられた場合には、第１の搬送ガイド１６よりも奥側にある媒体を容易に視認することが可能である。
【００４１】
ここで、一部のリブの位置は特に限定されない。より具体的には、第１の搬送ガイド１６が有する複数のリブ１７のうち、所定の空間に属する複数のリブが、第１の搬送ガイド１６の材質よりも硬い材質によって形成された一側面を有するとよい。所定の空間は特に限定されないが、媒体の端部が到達する可能性がある空間であってよい。かかる場合には、媒体の端部が到達する可能性がある空間に属する複数のリブの一側面に傷が付けられる可能性を低減することが可能となる。
【００４２】
所定の空間は特に限定されない。図７には、所定の種類の媒体が第１の搬送路１６ｂにおける幅方向（図７に示した例では、左右方向）の一端（図７の例では、右端）に寄った状態（位置Ｐ−１に位置した状態）が示されている。また、図７には、所定の種類の媒体が第１の搬送路１６ｂにおける幅方向（図７に示した例では、左右方向）の一端とは異なる他端（図７の例では、左端）に寄った状態（位置Ｐ−３に位置した状態）が示されている。
【００４３】
このとき、上記所定の空間は、図７に示すように、所定の種類の媒体が一端に寄った状態（位置Ｐ−１に位置した状態）から他端に寄った状態（位置Ｐ−３に位置した状態）となるまでに、所定の種類の媒体が有する複数の端部のうち搬送方向に対して平行な２つの端部（図７に示した例では、媒体の２つの短辺）を含み、かつ、第１の搬送路１６ｂに垂直な平面が移動する空間Ｒ１、Ｒ２であってよい。図７に示した例では、これらの空間Ｒ１、Ｒ２にリブ１７−１〜１７−４が属している。以下では、リブ１７−１〜１７−４が、第１の搬送ガイド１６の材質よりも硬い材質によって形成された一側面を有する例を説明する。
【００４４】
所定の種類の媒体は特に限定されないが、自動取引装置１によって複数種類の媒体が取り扱われる場合、その複数種類の媒体の中で第１の搬送路１６ｂの幅方向（図７に示した例では、左右方向）の長さが最小となる媒体であってよい。第１の搬送路１６ｂの幅方向の長さが最小となる媒体が第１の搬送路１６ｂの幅方向に最も大きく移動し、最も多くのリブ１７に傷を付ける可能性があるからである。
【００４５】
また、リブ１７−１〜１７−４それぞれが有する複数の面のうち、リブ列１７（あるいは、第１の搬送路１６ｂ）の中央側の面に媒体の端部が接触して傷が付く可能性がある。そのため、第１の搬送路１６ｂの材質よりも硬い材質の一側面は、リブ１７−１〜１７−４それぞれが有する複数の面のうち、リブ列１７（あるいは、第１の搬送路１６ｂ）の中央側の面であってよい。例えば、図６および図７に示すように、第１の搬送路１６ｂの材質よりも硬い材質の一側面は、第１の搬送ガイド１６と一体成形される板金５０によって形成されてよい。板金５０は、典型的にはステンレス鋼であってよいが、他の金属であってもよい。なお、一体成形は、金型に材料を注入して取り出すまでの過程において同時に製造することを意味し得る。また、複数のリブ１７は、第１の搬送ガイド１６のうち第１の搬送路１６ｂとは異なる面（図６に示した例では、第１の搬送ガイド１６のうち第２の搬送ガイド１８に対向する面）に設けられている。つまり、板金５０の部分は媒体が常に搬送する面ではない。
【００４６】
しかし、第１の搬送路１６ｂの材質よりも硬い材質の一側面は、第１の搬送ガイド１６と二色成形される所定の材料によって形成されてもよい。そうすれば、板金５０を用いた場合よりも製造コストを抑えられる可能性がある。所定の材料は特に限定されないが、ＰＰＳ（ＰｏｌｙＰｈｅｎｙｌｅｎｅＳｕｌｆｉｄｅ）などが好適である。あるいは、第１の搬送路１６ｂの材質よりも硬い材質の一側面は、第１の搬送ガイド１６の成形後に固定具などによって第１の搬送ガイド１６に固定される板金５０によって形成されてもよい。
【００４７】
以下、リブ１７−１〜１７−４を代表して、リブ１７−１およびリブ１７−２について説明する。図８は、第１の搬送ガイド１６が有するリブ１７−１およびリブ１７−２の拡大斜視図である。図８に示すように、リブ１７−１およびリブ１７−２それぞれには、板金５０が形成されており、板金５０は第１の搬送ガイド１６と一体成形されている。例えば、板金５０がステンレス鋼を含む場合には、金型に入れられた磁石に板金５０を吸着させてから成形が行われてよい。
【００４８】
また、図８に示すように、板金５０の端部は第１の搬送ガイド１６に埋め込まれているのがよい。そうすれば、板金５０が第１の搬送ガイド１６から外れてしまう可能性が低減される。また、板金５０には、孔部５１および切り欠き部５２が設けられているとよい。そうすれば、成形時に、第１の搬送ガイド１６の材料が孔部５１および切り欠き部５２の内側にも達することによって、板金５０が第１の搬送ガイド１６から外れてしまう可能性が低減される。
【００４９】
図９は、図８に示した拡大斜視図のＡ−Ａ断面図である。図９を参照すると、第１の搬送ガイド１６の材料（リブ１７−２の材料）が孔部５１の内側にも到達している。また、図８に示すように、リブ１７−１およびリブ１７−２それぞれは、板金５０との間に段差を有するとよい。より具体的には、リブ１７−１およびリブ１７−２の第１の搬送路１６ｂ側の端部は、板金５０の第１の搬送路１６ｂ側の端部よりも突出しているとよい。
【００５０】
さもなければ、第１の搬送路１６ｂと板金５０との境目に媒体が引っ掛かるなどといった状況が起こり得る他、媒体の搬送面が不均一となることによって媒体の向きが変化してしまう状況などが起き得る。そのため、媒体の搬送が正常に行われない可能性が生じてしまう。図９を参照すると、リブ１７−２の第１の搬送路１６ｂ側の端部の位置Ｇ１は、板金５０の第１の搬送路１６ｂ側の端部の位置Ｇ２よりも高くなっている。
【００５１】
以上、媒体の端部が搬送部１５−１の内部における搬送ガイドに接触してしまう場合について説明した。しかし、上記したように、媒体挿入時において、識別部１２によって媒体が異常であると識別されると、媒体はリジェクト庫１４に搬送される。このとき、媒体は、搬送部１５−１、１５−２を経由してリジェクト庫１４に搬送される。したがって、本発明の実施形態は、搬送部１５−２に対しても適用され得る。
【００５２】
また、本発明の実施形態は、媒体排出時に対しても適用され得る。ここで、媒体排出時における自動取引装置１の動作の概要について説明する。媒体排出時において、１または複数の媒体を収納する収納部２１からは、媒体が１枚ずつ分離され、搬送部１５−１を経由して識別部１２に搬送される。続いて、識別部１２は、媒体が正常であるか否かを識別する。
【００５３】
識別部１２によって正常であると識別された媒体は、接客部１１に搬送され、図示しないシャッタが開かれると、媒体挿入口１１ａから操作者によって取り出される。一方、識別部１２によって異常であると識別された媒体は、搬送部１５−１および搬送部１５−２を経由してリジェクト庫１４に搬送される。リジェクト庫１４に搬送された媒体は、リジェクト庫１４に集積される。したがって、本発明の実施形態は、媒体排出時における、搬送部１５−１および搬送部１５−２に対しても適用され得る。
【００５４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００５５】
例えば、自動取引装置の動作全体を制御するための図示しない制御部が自動取引装置の内部に存在してよい。この図示しない制御部は、専用のハードウェアによって構成されてもよいし、自動取引装置に内蔵されたＣＰＵ（Ｃｅｎｔｒａｌ  Ｐｒｏｃｅｓｓｉｎｇ  Ｕｎｉｔ）がＲＯＭ（Ｒｅａｄ  Ｏｎｌｙ  Ｍｅｍｏｒｙ）に記憶されたプログラムをＲＡＭ（Ｒａｎｄｏｍ  Ａｃｃｅｓｓ  Ｍｅｍｏｒｙ）に展開して実行することにより実現されてもよい。かかるプログラムが提供され得る他、かかるプログラムを記憶させた記憶媒体も提供され得る。
【符号の説明】
【００５６】
１      自動取引装置
１０    上部ユニット
１１    接客部
１１ａ  媒体挿入口
１２    識別部
１３    一時保留部
１４    リジェクト庫
１５−１、１５−２  搬送部
１６    第１の搬送ガイド
１６ａ  リブ（リブ列）
１６ｂ  第１の搬送路
１７    リブ（リブ列）
１８    第２の搬送ガイド
１８ａ  リブ（リブ列）
１８ｂ  第２の搬送路
１９    リブ（リブ列）
２０    下部ユニット
２１    収納部
３０    境界
４１    搬送ローラ対
４２・４３・４４    誘導部材
５０    板金
５１    孔部
５２    切り欠き部
【図１】
0006503862.tif 000002
【図２】
0006503862.tif 000003
【図３】
0006503862.tif 000004
【図４】
0006503862.tif 000005
【図５】
0006503862.tif 000006
【図６】
0006503862.tif 000007
【図７】
0006503862.tif 000008
【図８】
0006503862.tif 000009
【図９】
0006503862.tif 000010